【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
計算機と、
フラッシュメモリデバイスと、ストレージ構成情報を有するストレージコントローラと、キャッシュメモリと、を有し、前記フラッシュメモリデバイスを用いて前記計算機に論理ユニットを提供するストレージシステムと、
前記ストレージシステムと前記計算機とを管理する管理システムと、
を有する情報システムであって、
前記ストレージコントローラは、前記フラッシュメモリデバイスの余剰領域の容量に基く値である第一の余剰容量値をストレージ構成情報に記憶し、前記ストレージ構成情報に基いてストレージ管理情報を生成し、前記ストレージ管理情報を前記管理システムへ送信し、
前記管理システムは、前記ストレージ管理情報を受信し、前記ストレージ管理情報に基いて、前記ストレージシステムに関連する管理用の余剰容量値を表示する、
ことを特徴とした情報システム。
【請求項２】
請求項１記載の情報システムであって、
前記ストレージコントローラは、前記フラッシュメモリデバイスを用いたパリティグループの定義を示す情報と、前記論理ユニットと前記パリティグループとの対応を示す情報と、を前記ストレージ構成情報に格納し、
前記ストレージコントローラは、前記パリティグループの定義に基いて、前記論理ユニットを指定したライトリクエストのライトデータを、前記指定された論理ユニット対応する前記パリティグループに属する前記フラッシュメモリデバイスに、分散または冗長化して書き込み、
前記管理用の余剰容量値の表示は、前記パリティグループに対する第二の余剰容量値、又は前記第二の余剰容量値に表示用の変換を行った値、の表示である、
ことを特徴とした情報システム。
【請求項３】
請求項２記載の情報システムであって、
前記ストレージ管理情報は、前記フラッシュメモリデバイスに対する第一の余剰容量値を含み、
前記管理システムは、前記フラッシュメモリデバイスに対する前記第一の余剰容量値に基き、前記パリティグループに対する前記第二の余剰容量値を算出する、
ことを特徴とした情報システム。
【請求項４】
請求項３記載の情報システムであって、
前記ストレージコントローラは、前記フラッシュメモリデバイスを用いたパリティグループの定義を示す情報と、前記パリティグループを用いて定義する内部論理ユニットとの対応を示す情報と、前記内部論理ユニットと前記論理ユニットとの対応を示す情報と、を前記ストレージ構成情報に格納し、
前記ストレージコントローラは、前記論理ユニットを指定したデバイス問い合わせリクエストの応答として、前記指定された論理ユニットに対応する内部論理ユニットの識別情報を送信し、
前記ストレージコントローラは、前記パリティグループの定義及び前記内部論理ユニットの定義に基き、前記指定された論理ユニットを指定したライトリクエストのライトデータを、前記指定された論理ユニットに対応する前記パリティグループに属する、前記フラッシュメモリデバイスに分散または冗長化して書き込み、
前記管理用の余剰容量値の表示は、前記内部論理ユニットに対する第三の余剰容量値、又は前記第三の余剰容量値に表示用の変換を行った値、の表示である、
ことを特徴とした情報システム。
【請求項５】
請求項４記載の情報システムであって、
前記ストレージ管理情報は、前記フラッシュメモリデバイスに対する第一の余剰容量値を含み、
前記管理システムは、前記フラッシュメモリデバイスに対する前記第一の余剰容量値に基き、前記内部論理ユニットに対する前記第三の余剰容量値を算出する、
ことを特徴とした情報システム。
【請求項６】
請求項５記載の情報システムであって、
前記管理用の余剰容量値の表示は、前記論理ユニットに対する第四の余剰容量値、又は前記第四の余剰容量値に表示用の変換を行った値、の表示であり、
前記ストレージ管理情報は、前記フラッシュメモリデバイスに対する第一の余剰容量値を含み、
前記管理システムは、前記フラッシュメモリデバイスに対する前記第一の余剰容量値に基き、前記論理ユニットに対する前記第四の余剰容量値を算出する、
ことを特徴とした情報システム。
【請求項７】
請求項６記載の情報システムであって、
前記管理用の余剰容量値の表示は、前記論理ユニットに対する第四の余剰容量値、又は前記第四の余剰容量値に表示用の変換を行った値、の表示であり、
前記管理システムは、前記フラッシュメモリデバイスに対する前記第一の余剰容量値に基き、前記論理ユニットに対する前記第四の余剰容量値を算出し、
前記ストレージ管理情報は、前記第四の余剰容量値を含む、
ことを特徴とした情報システム。
【請求項８】
請求項７記載の情報システムであって、
前記管理システムは、前記管理用の余剰容量値を評価するポリシーを格納し、
前記管理システムは、前記ストレージ管理情報と前記ポリシーに基いて、前記論理ユニットに対応する前記フラッシュメモリデバイスの余剰領域が不足と判断した前記論理ユニットを低更新頻度用途と表示又は管理する、
ことを特徴とした情報システム。
【請求項９】
請求項８記載の情報システムであって、
前記計算機はアーカイブプログラムを実行し、
前記管理システムは、前記低更新頻度用途と判断した前記論理ユニットを前記アーカイブプログラムに割り当てる割り当てリクエストを、前記計算機に送信する、
ことを特徴とした情報システム。
【請求項１０】
請求項９記載の情報システムであって、
前記管理システムは、前記低更新頻度用途と判断した論理ユニットを移行先とするデータマイグレーションリクエストを、前記ストレージシステムに送信する、
ことを特徴とした情報システム。
【請求項１１】
請求項２記載の情報システムであって、
前記ストレージコントローラは、前記フラッシュメモリデバイスに対する前記第一の余剰容量値に基いて、前記パリティグループに対する前記第二の余剰容量値を算出し、
前記ストレージ管理情報は、前記第二の余剰容量値を含む、
ことを特徴とした情報システム。
【請求項１２】
請求項４記載の情報システムであって、
前記ストレージコントローラは、前記フラッシュメモリデバイスに対する前記第一の余剰容量値に基いて、前記内部論理ユニットに対する前記第三の余剰容量値を算出し、
前記ストレージ管理情報は、前記第三の余剰容量値を含む、
ことを特徴とした情報システム。
【請求項１３】
計算機と、フラッシュメモリデバイスを用いて前記計算機に論理ユニットを提供するストレージシステムと、を管理する管理システムであって、
前記管理システムは
前記ストレージシステムからフラッシュメモリデバイスの余剰領域の容量に関する値である第一の余剰容量値を受信するポートと、
ストレージの構成情報及び前記第一の余剰容量値を格納する管理側ストレージ構成情報を格納したメモリと、
前記ポートを用いてストレージシステムを監視するプロセッサと、
前記管理側ストレージ構成情報を用いてストレージシステムの状態を表示する入出力装置と、
を有し、
前記プロセッサは、前記管理側ストレージ管理情報に基いて、前記ストレージシステムに関連する管理用の余剰容量値を生成し、
前記入出力装置は前記管理用の余剰容量値を表示する、
ことを特徴とした情報システム。
【請求項１４】
請求項１３記載の管理システムであって、
前記管理側ストレージ構成情報は、前記ストレージシステムに定義されたパリティグループに対する第二の余剰容量値を格納し、
前記管理用の余剰容量値は、前記パリティグループに対する第二の余剰容量値である、
ことを特徴とした管理システム。
【請求項１５】
計算機と、フラッシュメモリデバイスを用いて前記計算機に論理ユニットを提供するストレージシステムと、を管理する管理システムにおける管理方法であって、
前記管理システムは、前記ストレージシステムからフラッシュメモリデバイスの余剰領域の容量に関する値である第一の余剰容量値を受信し、
前記管理システムは、ストレージの構成情報及び前記第一の余剰容量値を格納する管理側ストレージ構成情報を格納し、
前記管理システムは、前記管理側ストレージ管理情報に基いて、前記ストレージシステムに関連する管理用の余剰容量値を生成し、
前記管理システムは、前記管理システムが有する入出力装置を用いて前記管理用の余剰容量値を表示する、
ことを特徴とした情報システム。